(57)【特許請求の範囲】
【請求項１】
略直方体の紙製箱体内に積層された衛生用紙が収納され、前記箱体は上下方向に相互に係止状態で積み重ね可能となっている衛生用紙収納箱であって、
正面パネルに、衛生用紙の取り出し口を形成するための輪郭切り込み線が設けられ、前記輪郭切り込み線は、その両端部が上面パネルと正面パネルとの間の折線に繋がり、この折線に沿って横長の輪郭形状を呈しており、
一方の箱体の底面パネルに、底面パネルと左右の側面パネルとの間の折線または底面パネルと正面パネルおよび背面パネルとの間の折線の一部をヒンジ部とする舌状係止片を切り抜き形成する係止片用切り込み線が設けられ、他方の箱体の左右側面パネルまたは正面パネルと背面パネルには、前記一方の箱体の底面パネルに設けた係止片用切り込み線から切り抜いた舌状係止片を差し込み係止させる係止孔を形成する係止孔用切り込み線が設けられており、
前記舌状係止片は、その両側に、前記係止孔に差し込んで係止孔の上辺に係止する係止片部を折曲形成する係止片部形成用折線が設けられ、また、前記ヒンジ部には、舌状係止片の両側から前記係止片部形成用折線に至るスリットが設けられ、前記スリットで形成される係止片部の基端辺が他方の箱体の係止孔の上辺に係止するようになっており、
前記係止孔用切り込み線は、舌状係止片における係止片部形成用折線の内側の中央片部の横幅と同幅に設けられた切り込み線部と、前記切り込み線部の両端から鉛直に設けられた切り込み線部とで構成されていることを特徴とする衛生用紙収納箱。
【請求項２】
前記一方の箱体の底面パネルに設けられる係止片用切り込み線は、底面パネルにおける対角線上に設けられ、他方の箱体の左右側面パネルまたは正面パネルおよび背面パネルに設けられる係止孔用切り込み線は、上面パネルにおける、前記係止片用切り込み線と同方向の対角線上に設けられていることを特徴とする請求項１に記載の衛生用紙収納箱。
【発明の詳細な説明】
【技術分野】
【０００１】
本発明は、ポップアップ式に取り出せるように交互に折り畳まれて積層されたティシュペーパー等の衛生用紙を収納する衛生用紙収納箱に関し、さらに詳しくは、衛生用紙収納箱を上下方向に相互に係止状態で積み重ね可能とした衛生用紙収納箱に関するものである。
【背景技術】
【０００２】
家庭やオフィス等で広く使用されているティッシュペーパー、ペーパータオル等の衛生用紙をポップアップ式に取り出せるように交互に折り畳まれた状態で収納する衛生用紙収納箱として、直方体からなる紙製箱体の上面パネルに衛生用紙を取り出すための取り出し口を開口させる形式の衛生用紙収納箱が知られており（例えば、特許文献１参照。）、また、箱体の正面パネルに衛生用紙を取り出すための取出し口が設けられた衛生用紙収納箱が開示されている（例えば、特許文献２参照。）
【先行技術文献】
【特許文献】
【０００３】
【特許文献１】実開昭６２−１３００７６号公報
【特許文献２】実用新案登録第２５８６０１７号公報
【発明の概要】
【発明が解決しようとする課題】
【０００４】
上記特許文献１，２に記載されている衛生用紙収納箱には、積み重ねて使用するための工夫は一切なされていない。しかし、実際の日常生活における衛生用紙収納箱の使用にあっては、例えば、衛生用紙が残り少なくなってきたときに、次に使用する衛生用紙収納箱を用意し、この衛生用紙収納箱の上に衛生用紙が残り少なくなった衛生用紙収納箱を載せて使用することがある。
このような場合、上に載せた衛生用紙収納箱はわずかな衝撃でズレ落ちてしまい、このため、取り出し口から衛生用紙を引き出すとき、衛生用紙収納箱を押さえなければならないといった煩わしさがある。
【０００５】
本発明の目的は、積み重ねた箱体を相互に固定することができる衛生用紙収納箱を提供することにある。
【課題を解決するための手段】
【０００６】
上記の目的を達成するために、請求項１に記載の発明は、略直方体の紙製箱体内に積層された衛生用紙が収納され、前記箱体は上下方向に相互に係止状態で積み重ね可能となっている衛生用紙収納箱であって、正面パネルに、衛生用紙の取り出し口を形成するための輪郭切り込み線が設けられ、前記輪郭切り込み線は、その両端部が上面パネルと正面パネルとの間の折線に繋がり、この折線に沿って横長の輪郭形状を呈しており、一方の箱体の底面パネルに、底面パネルと左右の側面パネルとの間の折線または底面パネルと正面パネルおよび背面パネルとの間の折線の一部をヒンジ部とする舌状係止片を切り抜き形成する係止片用切り込み線が設けられ、他方の箱体の左右側面パネルまたは正面パネルと背面パネルには、前記一方の箱体の底面パネルに設けた係止片用切り込み線から切り抜いた舌状係止片を差し込み係止させる係止孔を形成する係止孔用切り込み線が設けられており、前記舌状係止片は、その両側に、前記係止孔に差し込んで係止孔の上辺に係止する係止片部を折曲形成する係止片部形成用折線が設けられ、また、前記ヒンジ部には、舌状係止片の両側から前記係止片部形成用折線に至るスリットが設けられ、前記スリットで形成される係止片部の基端辺が他方の箱体の係止孔の上辺に係止するようになっており、前記係止孔用切り込み線は、舌状係止片における係止片部形成用折線の内側の中央片部の横幅と同幅に設けられた切り込み線部と、前記切り込み線部の両端から鉛直に設けられた切り込み線部とで構成されていることを特徴とする。
【０００８】
請求項２に記載の発明は、請求項１に記載の、前記一方の箱体の底面パネルに設けられる係止片用切り込み線は、底面パネルにおける対角線上に設けられ、他方の箱体の左右側面パネルまたは正面パネルおよび背面パネルに設けられる係止孔用切り込み線は、上面パネルにおける、前記係止片用切り込み線と同方向の対角線上に設けられていることを特徴とする。
【発明の効果】
【０００９】
請求項１に記載の衛生用紙収納箱によれば、一方の箱体の底面パネルに設けられている係止片用切り込み線を切断して舌状係止片を切り抜き、舌状係止片を引き出し、そして、他方の箱体の左右側面パネルまたは正面パネルと背面パネルに設けられている係止孔用切り込み線を切断して係止孔を形成し、一方の箱体の底面パネルから引き出した舌状係止片を他方の箱体の左右側面パネルまたは正面パネルと背面パネルに設けられている係止孔に差し込み係止させることにより、前記一方の箱体を他方の箱体の上に積み重ねて、一方の箱体と他方の箱体とを上下方向に相互に固定することができ、安定した状態で、上側にある一方の箱体から衛生用紙を引き出すことができる。
特に、箱体の正面パネルに衛生用紙の取出し口が設けられているので、上下の箱体の取出し口を開口させることにより、積まれている箱体の一方側から、或いは両方向から衛生用紙を引き出すことができることになり、積み重ねたいずれの箱体からも衛生用紙を引き出すことができ、便利である。
【００１０】
また、前記底面パネルに設けられた係止片用切り込み線で形成される舌状係止片は、その両側に、前記係止孔に差し込んで係止孔の上辺に係止する係止片部を折曲形成する係止片部形成用折線が設けられ、また、ヒンジ部には、舌状係止片の両側から前記係止片部形成用折線に至るスリットが設けられているので、舌状係止片の両側に設けられている係止片部形成用折線を内面側に折り曲げて形成した係止片部を下側にある他方の箱体の係止孔から箱体内に差し込むと、スリットで形成される係止片部の基端辺が他方の箱体の係止孔の上辺に係止し、また、舌状係止片における係止片部形成用折線の内側の中央片部の横幅と係止孔用切り込み線の切り込み線部の幅が同幅となっているので、係止孔から下側の箱体内に差し込んだ舌状係止片の両側の係止片部は係止孔の側縁部により押さえられた状態となることから、舌状係止片は係止孔から外れ難く、上側の箱体と下側の箱体を確実に固定することができる。
【００１１】
請求項２に記載の衛生用紙収納箱によれば、請求項１に記載の、前記一方の箱体の底面パネルに設けられる係止片用切り込み線は、底面パネルにおける対角線上に設けられ、他方の箱体の左右側面パネルまたは正面パネルおよび背面パネルに設けられる係止孔用切り込み線は、上面パネルにおける、前記係止片用切り込み線と同方向の対角線上に設けられているので、積む時に箱体の向きを変えることにより、正面パネルを同一方向或いは反対方向に任意に向かせた状態で箱体を上下に固定することができ、箱体の正面パネルに衛生用紙の取出し口が設けられているので、上下の箱体の取出し口を開口させることにより、積まれている箱体の一方側から、或いは両方向から衛生用紙を引き出すことができることになり、便利である。
また、前記底面パネルに設けられる２つの係止片用切り込み線および前記左右側面パネルまたは正面パネルおよび背面パネルに設けられる２つの係止孔用切り込み線は、それぞれ対角線上に設けられているので、一方の箱体の底面パネルから引き出した舌状係止片を他方の箱体の左右側面パネルまたは正面パネルと背面パネルに設けられている係止孔に差し込み係止させた状態で積み重ねた際の上下の箱体はズレ難く安定性に優れる。
【図面の簡単な説明】
【００１２】
【図１】本発明に係る衛生用紙収納箱の実施形態の一例を示す斜視図である。
【図２】本例の展開図である。
【図３】舌状係止片を形成する係止片用切り込み線および係止孔を形成する係止孔用切り込み線を設ける位置の他例を示す展開図である。
【図４】本例の衛生用紙収納箱を積み重ねる状態を示す斜視説明図である。
【図５】（Ａ）、（Ｂ）は本例の舌状係止片を切り抜き引き出した状態を示す拡大斜視説明図である。
【図６】積み重ねた上側の衛生用紙収納箱から引き出した舌状係止片を、下側の衛生用紙収納箱に形成した係止孔に差し込み係止させた状態を示す拡大断面説明図である。
【図７】積み重ねた上側の衛生用紙収納箱から引き出した舌状係止片を、下側の衛生用紙収納箱に形成した係止孔に差し込み係止させた状態の他例を示す拡大断面説明図である。
【図８】本発明に係る衛生用紙収納箱を積み重ねた状態を示す概略正面図である。
【発明を実施するための形態】
【００１３】
以下、本発明に係る衛生用紙収納箱を実施するための形態を説明する。
図１乃至図８は本発明に係る衛生用紙収納箱の実施の形態の一例を示すもので、図１は本発明に係る衛生用紙収納箱の実施形態の一例を示す斜視図、図２は本例の展開図、図３は舌状係止片を形成する係止片用切り込み線および係止孔を形成する係止孔用切り込み線を設ける位置の他例を示す展開図、図４は本例の衛生用紙収納箱を積み重ねる状態を示す斜視説明図、図５（Ａ）、（Ｂ）は本例の舌状係止片を切り抜き引き出した状態を示す拡大斜視説明図、図６は積み重ねた上側の衛生用紙収納箱から引き出した舌状係止片を、下側の衛生用紙収納箱に形成した係止孔に差し込み係止させた状態を示す拡大断面説明図、図７は積み重ねた上側の衛生用紙収納箱から引き出した舌状係止片を、下側の衛生用紙収納箱に形成した係止孔に差し込み係止させた状態の他例を示す拡大断面説明図、図８は本発明に係る衛生用紙収納箱を積み重ねた状態を示す概略正面図である。
【００１４】
本例の衛生用紙収納箱は、略直方体の紙製箱体１内にポップアップ式に取り出せるように交互に折り畳まれて積層された衛生用紙（図示せず。）が収納されたものである。この箱体１は、図２の展開図に示すブランクシート２により組立てられる。ブランクシート２は、折線３，４，５を介して図中上下方向に連接する長方形状の背面パネル６、上面パネル７、正面パネル８、底面パネル９と、上面パネル７及び底面パネル９の左右両端に折線１０ａ，１０ｂ，１１ａ，１１ｂを介して連接する側面パネル１２ａ，１２ｂ，１３ａ，１３ｂと、背面パネル６と正面パネル８の左右両端に折線１４ａ，１４ｂ，１５ａ，１５ｂを介して連接し前記側面パネル１２ａ，１２ｂ，１３ａ，１３ｂの内側に折り込まれる折込パネル１６ａ，１６ｂ，１７ａ，１７ｂと、底面パネル９の下端に折線１８を介して連接し前記背面パネル６に接着される糊代パネル１９とを有するように構成されている。
【００１５】
本例では、前記正面パネル８に、衛生用紙の取り出し口を形成するための輪郭切り込み線２０が設けられ、輪郭切り込み線２０は、その両端部が上面パネル７と正面パネル８との間の折線４に繋がり、この折線４に沿って横長の輪郭形状を呈している。本例では、輪郭切り込み線２０はミシン目で形成されている。
【００１６】
なお、本例では、前記取り出し口を形成するための輪郭切り込み線２０が設けられたパネルを正面パネル８と位置づけている。
また、本例では、衛生用紙の取り出し口を形成するための輪郭切り込み線２０が正面パネル８に設けられているが、上面パネル７に設けられていてもよい。
【００１７】
前記箱体１の底面パネル９には、底面パネル９と左右の側面パネル１３ａ，１３ｂとの間の折線１１ａ，１１ｂの一部をヒンジ部２１とする舌状係止片２２を切り抜き形成する係止片用切り込み線２３が設けられている。舌状係止片２２の形状にあっては、後述する係止孔２６に差し込み係止できる限り、特に限定されない。
本例では、係止片用切り込み線２３で形成される舌状係止片２２は、その両側に、係止孔２６に差し込んで係止孔２６の上辺、本例では、下側の箱体１の上面パネル７の内面に係止する係止片部２２ａを折曲形成する係止片部形成用折線２４が設けられ、また、ヒンジ部２１には、舌状係止片２２の両側から係止片部形成用折線２４に至るスリット２５が設けられている。
また、本例では、底面パネル９に設けられる係止片用切り込み線２３は、底面パネル９における対角線上に設けられているが、これに限定されない。
【００１８】
また、上面パネル７の左右の側面パネル１２ａ，１２ｂには、底面パネル９に設けた係止片用切り込み線２３から切り抜いた舌状係止片２２を差し込み係止させる係止孔２６を形成する係止孔用切り込み線２７が設けられている。
係止孔用切り込み線２７で形成される係止孔２６は、後述する図６に示すように、係止孔用切り込み線２７を切断して側面パネル１２ａ，１２ｂに形成される切断片２８を内側へ押し込んで係止孔２６を開口させて形成してもよく、また、図７に示すように、切断片２８を外側へ引き出して係止孔２６を開口させて形成してもよい。
【００１９】
本例では、係止孔２６を形成する係止孔用切り込み線２７は、上面パネル７と側面パネル１２ａ，１２ｂとの間の折線１０ａ，１０ｂ上に、舌状係止片２２における係止片部形成用折線２４の内側の中央片部２２ｂの横幅Ｌ１と同幅Ｌ１に設けられた切り込み線部２７ａと、側面パネル１２ａ，１２ｂに、前記切り込み線部２７ａの両端から底面パネル９側に垂下するように設けられた切り込み線部２７ｂとで構成されている。また、切り込み線部２７ｂの長さＬ３は係止孔２６の形成形態と合わせて設定される。切断片２８を内側へ押し込んで係止孔２６を形成する形態の場合は、切り込み線部２７ｂの長さＬ３は舌状係止片２２における中央片部２２ｂの縦幅Ｌ２より長いことを必須とする。また、切断片２８を外側へ引き出して係止孔２６を形成する形態の場合は、切り込み線部２７ｂの長さＬ３は舌状係止片２２における中央片部２２ｂの縦幅Ｌ２より長くすることが好ましいが、必ずしも長くする必要はない。
【００２１】
前記側面パネル１２ａ，１２ｂに設けられた係止孔用切り込み線２７は、本例では、上面パネル７における、底面パネル９に設けられた係止片用切り込み線２３と同方向の対角線上に設けられている。図２に示す展開図では、底面パネル９に設けられた係止片用切り込み線２３と交叉する方向の対角線上に設けられることになる。
【００２３】
また、本例では、箱体１の底面パネル９に設けられた舌状係止片２２を切り抜き形成する係止片用切り込み線２３は、底面パネル９と左右の側面パネル１３ａ，１３ｂとの間の折線１１ａ，１１ｂの一部をヒンジ部２１として設けられているが、図３に示すように、底面パネル９と正面パネル８および糊代パネル１９との間の折線５，１８の一部をヒンジ部２１として設けてもよい。この場合、係止孔２６を形成する係止孔用切り込み線２７は、正面パネル８と背面パネル６に設けられる。
【００２４】
前記ブランクシート２による箱体１は、折線３，４，５，１８から背面パネル６、上面パネル７、正面パネル８、底面パネル９、糊代パネル１９を山折りして、糊代パネル１９を背面パネル６に接着し、また、背面パネル６と正面パネル８の左右両端に連接する折込パネル１６ａ，１６ｂ，１７ａ，１７ｂを折線１４ａ，１４ｂ，１５ａ，１５ｂから山折りし、さらに上面パネル７及び底面パネル９の左右両端に連接する側面パネル１２ａ，１２ｂ，１３ａ，１３ｂを折線１０ａ，１０ｂ，１１ａ，１１ｂから山折りして折込パネル１６ａ，１６ｂ，１７ａ，１７ｂの外側に重ね、側面パネル１２ａ，１２ｂ，１３ａ，１３ｂを接着することにより組み立てられる。
【００２５】
そして、この箱体１内には、側面パネル１２ａ，１２ｂ，１３ａ，１３ｂを接着する前に、ポップアップ式に取り出せるようにして交互に折り畳まれて積層された衛生用紙が収納され、側面パネル１２ａ，１２ｂ，１３ａ，１３ｂが接着されて図１に示す衛生用紙収納箱が完成する。
【００２６】
このようにして完成した本例の衛生用紙収納箱の積み重ねは、次のようにして行う。
上側となる一方の箱体１にあっては、底面パネル９に設けられている係止片用切り込み線２３を切断して舌状係止片２２を切り抜き、図５（Ａ）に示すように、底面パネル９から舌状係止片２２を引き出す。そして、図５（Ｂ）に示すように引き出した舌状係止片２２の両側を折線２４から内面側に折り曲げて係止片部２２ａを形成する。このとき、係止片部２２ａと底面パネル９との間の折線１１ａ，１１ｂにはスリット２５が形成されているので、係止片部２２ａとなる舌状係止片２２の両側の折り曲げは問題なく行える。
【００２７】
また、下側となる他方の箱体１にあっては、上面パネル７の左右の側面パネル１２ａ，１２ｂに設けられている切り込み線部２７ａ、２７ｂで構成される係止孔用切り込み線２７を切断して係止孔２６を形成する。
そして、下側となる他方の箱体１の側面パネル１２ａ，１２ｂに設けられている係止孔用切り込み線２７を切断して側面パネル１２ａ，１２ｂに形成される切断片２８を内側へ押し込んで係止孔２６を開口させて、切断片２８の上から覆うように、上側となる一方の箱体１の舌状係止片２２の両側の係止片部２２ａを下側となる他方の箱体１の係止孔２６に差し込み係止させ、前記一方の箱体１を他方の箱体１の上に積み重ねる。
【００２８】
上側となる一方の箱体１の舌状係止片２２の両側の係止片部２２ａを下側となる他方の箱体１の係止孔２６に差し込むと、スリット２５で形成される係止片部２２ａの基端辺２２ｃが下側の箱体１の上面パネル７の内面に係止し、また、舌状係止片２２における係止片部形成用折線２４の内側の中央片部２２ｂの横幅Ｌ１と係止孔用切り込み線２７の切り込み線部２７ａの幅が同幅Ｌ１となっているので、係止孔２６から下側の箱体１内に差し込んだ舌状係止片２２の両側の係止片部２２ａは係止孔２６の側縁部により押さえられた状態となることから、舌状係止片２２は係止孔２６から外れ難く、上側の箱体１と下側の箱体１を確実に固定することができる（図６参照。）。
【００２９】
なお、上記積み重ねでは、係止孔用切り込み線２７を切断して側面パネル１２ａ，１２ｂに形成される切断片２８を内側へ押し込んで係止孔２６を開口させ、切断片２８の上から覆うように、舌状係止片２２の両側の係止片部２２ａを係止孔２６に差し込み係止させているが、係止孔用切り込み線２７を切断して側面パネル１２ａ，１２ｂに形成される切断片２８を外側へ引き出して係止孔２６を開口させ、舌状係止片２２の両側の係止片部２２ａを係止孔２６に差し込み係止させるようにしてもよい（図７参照。）。
【００３０】
また、本例では、底面パネル９に設けられる係止片用切り込み線２３は、底面パネル９における対角線上に設けられ、そして、側面パネル１２ａ，１２ｂに設けられた係止孔用切り込み線２７は、上面パネル７における、底面パネル９に設けられた係止片用切り込み線２３と同方向の対角線上に設けられているので、積む時に箱体１の向きを変えることにより、上側の箱体１の正面パネル８と下側の箱体１の正面パネル８を同一方向或いは反対方向に任意に向かせた状態で箱体１を上下に固定することができ、上側の箱体１の正面パネル８と下側の箱体１の正面パネル８に設けられた輪郭切り込み線２０を切断して取出し口を開口させることにより、上下に積まれている箱体１の一方側から、或いは両方向から衛生用紙を引き出すことができる。
【００３１】
また、底面パネル９に設けられる２つの係止片用切り込み線２３および左右側面パネル１２ａ，１２ｂに設けられる２つの係止孔用切り込み線２７は、それぞれ対角線上に設けられているので、一方の箱体１の底面パネル９から引き出した舌状係止片２２を他方の箱体１の左右側面パネル１２ａ，１２ｂに設けられている係止孔２６に差し込み係止させた状態で積み重ねた際の上側の箱体１と下側の箱体１はズレ難くなる。
【符号の説明】
【００３２】
１  箱体
２  ブランクシート
３，４，５  折線
６  背面パネル
７  上面パネル
８  正面パネル
９  底面パネル
１０ａ，１０ｂ，１１ａ，１１ｂ  折線
１２ａ，１２ｂ，１３ａ，１３ｂ  側面パネル
１４ａ，１４ｂ，１５ａ，１５ｂ  折線
１６ａ，１６ｂ，１７ａ，１７ｂ  折込パネル
１８  折線
１９  糊代パネル
２０  輪郭切り込み線
２１  ヒンジ部
２２  舌状係止片
２２ａ  係止片部
２２ｂ  中央片部
２２ｃ  基端辺
２３  係止片用切り込み線
２４  係止片部形成用折線
２５  スリット
２６  係止孔
２７  係止孔用切り込み線
２７ａ，２７ｂ  切り込み線部
２８  切断片
【図１】
0005945841.tif 000002
【図２】
0005945841.tif 000003
【図３】
0005945841.tif 000004
【図４】
0005945841.tif 000005
【図５】
0005945841.tif 000006
【図６】
0005945841.tif 000007
【図７】
0005945841.tif 000008
【図８】
0005945841.tif 000009